(57)【要約】      （修正有）【課題】せっけん液、その他の溶液を入れて洗面台、風呂場等に簡単に取り付けでき、該容器内の液体を片手で簡単に取り出せる液体入れ容器、それに使用する液体取り出し装置を提供する。【解決手段】円筒容器部１０と該容器内で上下動する上下動部１１から構成する。上下動部は重みある球１２に細い棒１３を貫通取付けして構成する。円筒容器部の底面板に上下動部の球より僅かに大きい球の半分程度を収納できる半球凹部１５を設け、その中央に上下貫通孔を形成し、孔内に底面板下方に延びる有底円筒１８を取り付ける。有底円筒部の底面中央に上下動部の下側細い棒を貫通させる径が細い棒の径より大きいガイド孔１９を形成する。筒状胴部の上部内側には上下動部の上側細い棒を貫通させる孔を設けたガイド板２０を取り付ける。上下動部の下側細い棒は先端がガイド孔より下方に突出する長さに形成する。【選択図】図３
0003228357.tif 000002
【実用新案登録請求の範囲】
【請求項１】
石けん液、その他の溶液を入れた液体容器の下面に取り付けて容器内液体を下方に取り出すための液体取り出し装置であって、
該液体取り出し装置は円筒容器部と、該容器部内で上下動する上下動部からなり、
前記上下動部は重みある球に細い棒を球中心を通って貫通取付けして構成され、
前記円筒容器部は、筒状胴部の上部内面に前記液体容器下面から突出する円筒部の外面螺子に螺合するネジ部が形成され、底面板は前記球の半径寸法より厚く、底面板の上面側中央には前記球より僅かに半径の大きい球の半分を収納できる半球凹部が形成され、半球凹部中央には上下貫通孔が形成され、該貫通孔内には底面板下方にまで延びる有底円筒が取り付けられ、有底円筒の底面中央には前記細い棒を垂直にして半球凹部に乗せた上下動部の下側細い棒を貫通させる径が細い棒より大きいガイド孔が形成され、前記筒状胴部の上部内面には上下動部の上側細い棒を貫通させる孔を設けたガイド板が渡してあり、
前記上下動部の下側細い棒は、先端が前記ガイド孔より下方に突出する長さに形成されていることを特徴とする液体取り出し装置。
【請求項２】
請求項１に記載の液体取り出し装置において、前記半球凹部の内面には薄いゴムシートが貼り付けてあることを特徴とする液体取り出し装置。
【請求項３】
石けん液、その他の溶液を入れる液体入れ容器であって、
該液体入れ容器は、溶液を入れる液体容器と液体取り出し装置とから構成され、
前記液体容器は、容器の底面下側に容器内に連通して下方に突出する円筒部を形成して、その外面にはネジ部が形成されており、容器の上面にも容器内に連通して上方に突出する円筒部を形成して、その外面にはネジ部が形成されており、該円筒部の上方開口には該開口を塞ぐ螺子式蓋が取り付けられ、その蓋には空気を流通させる小孔が形成されており、
前記液体取り出し装置として請求項１又は２に記載の液体取り出し装置が、該装置の筒状胴部の上部内面に形成された前記ネジ部を前記液体容器の下方円筒部外面のネジ部に螺合させて取り付けであることを特徴とする液体入れ容器。
【考案の詳細な説明】
【技術分野】
【０００１】
本考案はせっけん液、シャンプー、リンス等を入れて洗面台、トイレ、風呂場等に取り付けておく液体入れ容器、及び、それに取り付けて使用する液体取り出し装置に関する。
【背景技術】
【０００２】
洗面台、トイレ、風呂場等には手、身体、頭髪等を洗う際に使用するせっけん液、シャンプー等を入れた液体入れ容器が設置される。こうした容器の構造、取り付け構造は様々であり、容器内液体の取り出しを片手のボタン操作のみで簡単に行えるようにした液体入れ容器、及びその取付け構造が各種提案さている。
【０００３】
例えば、特許文献１には通路の一端を大気に開口し、その開口部と流動体を収納したポリエチレン等の可撓性容器の口部と気密につなぐと共に、前記通路の他端は一方向作動弁を介して適宜注出口を設けた定量吸入室に連絡したことを特徴とする図８に示す流動体の定量注出装置が開示されている。この装置はピストン機構１０の端を押すだけで定量注出が可能であるが、内部にスプリングを２個必要とする等、構造が非常に複雑である。類似構造の定量注出装置は特許文献２にも開示されている。
【０００４】
また、特許文献３には、図９に示すような下面に水洗器への取付部を形成し、この取付部から前方へ延びる連絡部を設けると共に、該連絡部の先端に吐出部を、連絡部の上面に容器取付部を夫々設けた本体と、上記容器取付部に上方から装着される容器とからなり、上記吐出部と容器とを適宜間隔を置いて別輪状に配置してなる水石けん供給容器が開示されている。しかし、この供給容器の場合、水石けん取り出し部を構成する黄銅金属製の本体部Ａは、水洗器Ｃの周縁部上面に貫通開穿した取付孔Ｃ２に外面に螺子を切った取付部１を挿通し、洗面台Ｃの裏面からナット５で螺着することによって水洗器Ｃに固定する構造になっている。従って、取付けには水洗器Ｃに孔を設ける必要があり、取り付けが簡単ではない。
【先行技術文献】
【特許文献】
【０００５】
【特許文献１】実公昭４２−１３６４８号公報
【特許文献２】特開２００２−５９９９７号公報
【特許文献３】実開昭６１−１１６５９２号公報
【考案の開示】
【考案が解決しようとする課題】
【０００６】
本考案は、従来技術のこうした問題点を解決するためになされたもので、その課題は、せっけん液、シャンプー、リンス等の溶液を入れて洗面台、トイレ、風呂場等に簡単に取り付け可能で、且つ、それら容器内の溶液を片手で簡単に取り出すことのできる液体入れ容器、及び、それに取り付けて使用する液体取り出し装置を提供することにある。
【課題を解決するための手段】
【０００７】
前記課題を解決するための請求項１に記載の考案は、石けん液、その他の溶液を入れた液体容器の下面に取り付けて容器内液体を下方に取り出すための液体取り出し装置であって、該液体取り出し装置は円筒容器部と、該容器部内で上下動する上下動部からなり、前記上下動部は重みある球に細い棒を球中心を通って貫通取付けして構成され、前記円筒容器部は、筒状胴部の上部内面に前記液体容器下面から突出する円筒部の外面螺子に螺合するネジ部が形成され、底面板は前記球の半径寸法より厚く、底面板の上面側中央には前記球より僅かに半径の大きい球の半分を収納できる半球凹部が形成され、半球凹部中央には上下貫通孔が形成され、該貫通孔内には底面板下方にまで延びる有底円筒が取り付けられ、有底円筒の底面中央には前記細い棒を垂直にして半球凹部に乗せた上下動部の下側細い棒を貫通させる径が細い棒より大きいガイド孔が形成され、前記筒状胴部の上部内面には上下動部の上側細い棒を貫通させる孔を設けたガイド板が渡してあり、前記上下動部の下側細い棒は、先端が前記ガイド孔より下方に突出する長さに形成されていることを特徴とする液体取り出し装置である。
【０００８】
このような構成によれば、有底円筒から下方に突出している上下動部の下端に片手で上方に向けた力を加えて上下動部を押し上げることで、液体取り出し装置内の液体を底部のガイド孔から下方に流出させることができる。流出量は押し上げ高さと押し上げ時間を加減することで調整できる。
【０００９】
また、請求項２に記載の考案は、請求項１に記載の液体取り出し装置において、前記半球凹部の内面には薄いゴムシートが貼り付けてあることを特徴とする液体取り出し装置である。
【００１０】
このような薄いゴムシートを貼り付けておけば、球下面が半球凹部に密着するため液体取り出し装置内の液体が漏れることを確実に防止できる。
【００１１】
請求項３に記載の考案は、石けん液、その他の溶液を入れる液体入れ容器であって、該液体入れ容器は、溶液を入れる液体容器と液体取り出し装置とから構成され、前記液体容器は、容器の底面下側に容器内に連通して下方に突出する円筒部を形成して、その外面にはネジ部が形成されており、容器の上面にも容器内に連通して上方に突出する円筒部を形成して、その外面にはネジ部が形成されており、該円筒部の上方開口には該開口を塞ぐ螺子式蓋が取り付けられ、その蓋には空気を流通させる小孔が形成されており、前記液体取り出し装置として請求項１又は２に記載の液体取り出し装置が、該装置の筒状胴部の上部内面に形成された前記ネジ部を前記液体容器の下方円筒部外面のネジ部に螺合させて取り付けであることを特徴とする液体入れ容器である。
【００１２】
このような構成によれば、有底円筒から下方に突出している上下動部の下端に片手で上方に向けた力を加えて上下動部を押し上げることで、液体入れ容器内の液体を液体取り出し装置の底部のガイド孔から下方に流出させることができる。流出量は押し上げ高さと押し上げ時間を加減することで調整できる。
【図面の簡単な説明】
【００１３】
【図１】液体入れ容器１の外形図である。
【図２】液体入れ容器１の部品構成を示す分解図である。
【図３】液体取り出し装置３の分解図である。
【図４】液体取り出し装置３の円筒容器部１０の平面図である。
【図５】上下動部１１を取り付けた状態の液体取り出し装置３の断面図である。
【図６】液体容器２に液体取り出し装置３と蓋５を取り付けた状態の液体入れ容器１の端面図である。
【図７】有底円筒１８の下方に突出する上下動部１１下端を押し上げた状態の端面図である。
【図８】従来技術に係る流動体の定量注出装置である。
【図９】従来技術に係る水石けん供給容器である。
【考案を実施するための形態】
【００１４】
以下、本考案に係る液体入れ容器、及び、その容器の一部を構成する液体取り出し装置の一実施形態について図面を参照して説明する。図１は本考案に係る液体入れ容器１の外形図であり、正面図、平面図、底面図で示している。右側面図、左側面図は正面図と同一である。図２は液体入れ容器１の部品構成を示す分解図であり、断面図と端面図で示している。切断面は図１の平面図中のＡ−Ａ線に沿った面である。本容器は液体を入れる容器で、その容器から液体を下方に取り出す装置を具えている。内部での液体の流れを理解しやすいよう断面図に加えて端面図も示している。
【００１５】
液体入れ容器１は、液体容器２と液体取り出し装置３とから構成される。液体容器２は液体を入れておく容器本体部４と、その上部の蓋５から構成される。本実施形態の液体容器２の容器本体部４は水平断面が正方形の直方体容器であるが、水平断面は長方形、円形でもよく、高さ方向断面形状が変化する形状でもよい。但し、底面が水平であることを必要とする。
【００１６】
容器本体部４の上面には容器内に連通して上方に突出する円筒部６が形成され、その上方開口には蓋５が取り付けられる。取付けは円筒部６外面のネジ部と、蓋５内面のネジを螺合させて行う。蓋５には容器本体部４内に空気を流入させる小孔７が形成されている。液体容器２の容器本体部４の底面下側には本体部４内に連通して下方に突出する円筒部８が形成され、その外面にはネジ部が形成されている。このネジ部を利用して円筒部８に液体取り出し装置３が取り付けられる。
【００１７】
図３は液体取り出し装置３の構成を示す分解図であり、断面図と端面図で示してある。液体取り出し装置３は円筒容器部１０と、該容器部１０内で上下動する上下動部１１から構成される。上下動部１１は金属製の重みのある球１２に細い棒１３を球中心を通って貫通取付けしたものである。
【００１８】
円筒容器部１０の胴部の上部内面にはネジ部１４が形成されている。このネジ部１４を液体容器２の下面から突出している円筒部８外面のネジ部に螺合させて液体取り出し装置３を液体容器２に取り付ける。円筒容器部１０の底面板は球１２の半径寸法より厚くしてあり、底面板の中央上面側には球１２より僅かに半径の大きい球の半分程度を収納できる大きさの半球凹部１５が形成されている。半球凹部１５の内面には薄いゴムシート１６が貼り付けてある。その半球凹部１５の中央には上下貫通孔１７が形成され、その貫通孔１７内には底面板下方にまで延びる有底円筒１８が取り付けられている。有底円筒１８の底面中央には、細い棒１３を垂直にして半球凹部１５に乗せた上下動部１１の細い棒１３下側を貫通させるガイド孔１９が形成されている。ガイド孔１９の径は、細い棒１３の径より大きくしてある。
【００１９】
円筒容器部１０の筒状胴部の上部内側であって、内側ネジ部１４の下にはガイド板２１が渡してある。図４は円筒容器部１０の平面図である。ガイド板２１には半球凹部１５に上下動部１１を細い棒１３を垂直にして乗せたときに、細い棒１３の上方側が貫通する孔２１が設けられている。
【００２０】
図５は円筒容器部１０内に上下動部１１を取り付けた状態の液体取り出し装置３の断面図と端面図である。上下動部１１の金属製で重みのある球１２が半球凹部１５内の貫通孔１７の入口を塞いだ状態となる。半球凹部１５の内面には薄いゴムシート１６が貼り付けてあるので、球１２と貫通孔１７入口付近との間に隙間はできない。従って、この状態で円筒容器部１０内に液体を注入しても、液体が有底円筒１８を通過してその底部のガイド孔１９から下方に漏れだすことはない。
【００２１】
図６は、液体容器２に液体取り出し装置３と蓋５を取り付けた状態の液体入れ容器１の端面図である。内部に液体２３を入れた状態が描いてある。液体取り出し装置３内に取り付けられて上下動する上下動部１１に外部から力を加えない状態が描いてある。この状態では、前述のように上下動部１１の球１２が半球凹部１５内の貫通孔１７の入口を塞いだ状態となるため、液体容器２内の液体が有底円筒１８を通過して底部のガイド孔１９から下方に漏れだすことはない。
【００２２】
図７は、有底円筒１８から下方に突出している上下動部１１の細い棒１３下端に上方に向けた力を加えて上下動部１１を押し上げた状態の端面図である。上下動部１１の球１２が上方に移動し、球１２と半球凹部１５内面との間に隙間ができる。これにより液体入れ容器１内の液体はその隙間を通り、有底円筒１８を通過して底部のガイド孔１９から下方に流出する。流出すると液体入れ容器１の内圧が低下するため、蓋５の小孔７から空気が容器内に流入する。上下動部１１の押し上げを停止するは上下動部１１は元の位置に戻り、液体の流出は止まる。このように上下動部１１の下端を上方に押し上げる力と時間を加減することにより、底部のガイド孔１９から下方に流出する液体の量を調整することができる。
【符号の説明】
【００２３】
図面中、１は液体入れ容器１、２は液体容器、３は液体取り出し装置、４は容器本体部、５は蓋、７は小孔、８は円筒部、１０は円筒容器部、１１は上下動部、１２は球、１３は細い棒、１４はネジ部、１５は半球凹部、１６はゴムシート、１８は有底円筒、１９はガイド孔、２０はガイド板、２１は孔を示す。
【図１】
0003228357.tif 000003
【図２】
0003228357.tif 000004
【図３】
0003228357.tif 000005
【図４】
0003228357.tif 000006
【図５】
0003228357.tif 000007
【図６】
0003228357.tif 000008
【図７】
0003228357.tif 000009
【図８】
0003228357.tif 000010
【図９】
0003228357.tif 000011